(57)【要約】【課題】液面センサを備えたタンクを屋内に設置した後でも、容易に液面センサの交換をすることができるタンク等における液面センサの取付け装置を提供する。【解決手段】屋内に設置される燃料等の液体４０が注入されたタンク１５における液面センサの取付け装置であって、前記タンクのドレイン口に接続された配管１７、１９と、液面センサが内蔵され底部に管路５１を有する筒体５０と、配管１９の一端に前記筒体の管路５１の端部を着脱可能に接続する接続手段３０，３１とを有する。【選択図】図１
2008190954.tif 000002
【特許請求の範囲】
【請求項１】
屋内に設置される燃料等の液体が注入されたタンク等における液面センサの取付け方法において、
前記タンクのドレイン口からタンク外部に連通する配管に、液面センサが内蔵され底部に管路を有する筒体の該管路の端部を着脱可能としたことを特徴とするタンク等における液面センサの取付け方法。
【請求項２】
屋内に設置される燃料等の液体が注入されたタンク等における液面センサの取付け装置において、
前記タンクのドレイン口に接続された配管と、
液面センサが内蔵され底部に管路を有する筒体と、
前記配管の一端に前記筒体の管路の端部を着脱可能に接続する接続手段と、
を有することを特徴とするタンク等における液面センサの取付け装置。
【請求項３】
前記接続手段は、前記配管の一端及び前記管路の端部にそれぞれフランジ部を設け、これらのフランジ部をボルト締めすることにより固定することを特徴とする請求項２に記載のタンク等における液面センサの取付け装置。
【発明の詳細な説明】
【技術分野】
【０００１】
本発明は、屋内に設置される燃料等の液体が装填されたタンク等における液面センサの取付け方法及び装置に関する。
【背景技術】
【０００２】
屋内に設置される従来の燃料小出槽や、冷却水槽等のタンクにあっては、図２に示すように、床面１００に設置された架台１０１上に載置されたタンク１０２内に注入された液体の液面を検出するためにタンク１０２の上面１０２Ａからフロートスイッチや電極棒等の部品を含む液面センサを内蔵したフランジ部１０３を有する筒体１０４をタンク１０２の内部に挿入し、フランジ部１０３で固定するように構成されている。
【発明の開示】
【発明が解決しようとする課題】
【０００３】
しかしながら、上記従来の液面センサを備えたタンクにあっては、タンクを架台の上に取り付け、屋内に据え付けると、液面センサの故障時等に、屋内の天井と、タンク上部との間隙が少ないため、液面センサを内蔵する筒体をタンクから簡単に取り出すことができないという問題がある。
【０００４】
従来の液面センサを備えたタンクを屋内に設置した状態を図３に示す。同図において、屋内１１０の床１１１上には防油堤１１２が形成されている。防油堤１１２上には架台１１３が設置されており、架台１１３上には、液面センサ１１４を備えたタンク１１５が載置されている。液面センサは筒体１１４に内臓されており、この筒体１１は、タンク１１５の上部より挿入され、フランジ部１１５をタンク１１５にボルト締めすることにより固定されている。
【０００５】
この状態で液面センサ１１４の故障等により液面センサ１１４が内蔵された筒体１１４をタンク１１５から取り出し、交換しようとすると、タンク１１５条面と屋内１１０の天井１２０との間の隙間がないため、すなわち、筒体１１４の長さをＸ、タンク１１５の上面から天井までの距離をＹとすると、Ｘ＞Ｙであるため、タンク１１５上面から筒体１１４を簡単に取り出すことができないという問題がある。すなわち、タンク１１５から液面センサが内蔵された筒体１１４を取り出すには、タンク１１５を架台上で傾けるか、タンク１１５を床１１１上に一旦、降ろす必要があり、液面センサの交換が大掛かりな工事となり、コスト高となるという問題が有った。
【０００６】
本発明は、このような事情に鑑みてなされたもので、液面センサを備えたタンクを屋内に設置した後でも、容易に液面センサの交換をすることができるタンク等における液面センサの取付け方法及び装置を提供することを目的とする。
【課題を解決するための手段】
【０００７】
上記目的を達成するために本発明のタンク等における液面センサの取付け方法は、屋内に設置される燃料等の液体が注入されたタンク等における液面センサの取付け方法において、前記タンクのドレイン口からタンク外部に連通する配管に、液面センサが内蔵され底部に管路を有する筒体の該管路の端部を着脱可能としたことを特徴とする。
【０００８】
上記構成のタンク等における液面センサの取付け方法では、屋内に設置されるタンクのドレイン口からタンク外部に連通する配管に対し、液面センサが内蔵され底部に管路を有する筒体の該管路の端部を着脱可能に構成される。
このように構成することにより、タンクに液面センサを取り付けた状態で屋内に設置した後でも、液面センサの着脱が可能となり、液面センサの交換が容易となる。したがって、液面センサの交換工事に要するコストを低減できる。
【０００９】
また、本発明のタンク等における液面センサの取付け装置は、屋内に設置される燃料等の液体が注入されたタンク等における液面センサの取付け装置において、前記タンクのドレイン口に接続された配管と、液面センサが内蔵され底部に管路を有する筒体と、前記配管の一端に前記筒体の管路の端部を着脱可能に接続する接続手段とを有することを特徴とする。
【００１０】
また、本発明のタンク等における液面センサの取付け装置は、前記接続手段は、前記配管の一端及び前記管路の端部にそれぞれフランジ部を設け、これらのフランジ部をボルト締めすることにより固定することを特徴とする。
【００１１】
上記構成のタンク等における液面センサの取付け装置では、屋内に設置される燃料等の液体が注入されたタンクのドレイン口に接続された配管と、液面センサが内蔵され底部に管路を有する筒体と、前記配管の一端に前記筒体の管路の端部を着脱可能に接続する接続手段とから構成されている。
また、前記接続手段は、タンクのドレイン口に接続された配管の一端及び液面センサが内蔵された管路の端部にそれぞれフランジ部を設け、これらのフランジ部をボルト締めすることにより固定する。
【００１２】
このように構成することにより、屋内に設置される燃料等の液体が注入されたタンクのドレイン口に接続された配管の一端と、液面センサが内蔵され底部に管路を有する筒体の該管路の端部とが、接続手段により着脱可能に接続される。
この接続手段は、タンクのドレイン口に接続された配管の一端及び液面センサが内蔵された管路の端部にそれぞれフランジ部を設け、これらのフランジ部をボルト締めすることにより固定する。
したがって、タンクに液面センサを取り付けた状態で屋内に設置した後でも、液面センサの着脱が可能となり、液面センサの交換が容易となる。それ故、液面センサの交換工事に要するコストを低減できる。
【発明の効果】
【００１３】
以上に説明したように、本発明のタンク等における液面センサの取付け方法及び装置によれば、タンクに液面センサを取り付けた状態で屋内に設置した後でも、液面センサの着脱が可能となり、液面センサの交換が容易となる。したがって、液面センサの交換工事に要するコストを低減できる。
【発明を実施するための最良の形態】
【００１４】
以下、本発明の実施形態を、図面を参照して詳細に説明する。本発明の実施形態に係るタンク等における液面センサの取付け装置の構成を図１に示す。
図１において、屋内１０の床１１上には架台１２が設置されており、架台１２の脚部１３は、床11上にボルト１４により固定されている。
架台１２上には、液面センサを備えた燃料等の液体４０が注入されたタンク１５が載置されている。液面センサは筒体５０に内臓されている。
【００１５】
タンク１５のドレイン口１６には、バルブ２０、２１を有する配管１７が接続されており、この配管１７の中途にはＴ字状配管１８が接続されている。このＴ字状配管１８の図１上、水平方向に分岐する配管に接続されている配管１９の端部には、フランジ部３０が設けられている。
また、筒体５０は、その底部に、この底部から図１上、タンク１５の下部において水平方向に延設され端部に上記フランジ部３０と接する位置にフランジ部３１が設けられた配管（管路）５１を有している。フランジ部３０、３１は、ボルト締めすることにより配管１９及び配管５１は接続されている。
【００１６】
筒体５０内には、管体５００が筒体５０の上部に蓋体５１０により固定されている。管体５００は、底部が閉じた状態に形成されており管体５００の上部は一部が、筒体５０の外部に突出しており、その上端にはハウジング５１１が取り付けられている。管体５００には、タンク１５内に注入された液体３０の液面を検出するための磁石を有するフロート５０１、５０４が、管体５００内の液面変位に応じて上下方向に移動するように外嵌されている。
【００１７】
ハウジング５１１内には、後述するように、フロート５０１、５０４の移動により作動するリードスイッチが封入されており、このリードスイッチに接続されたリード線がこの管体５００内を通じてハウジング５１１内に導出され、ハウジング５１１内に設けられたリードスイッチの動作状態を判定する判定回路を含む回路部に接続されるようになっている。
【００１８】
フロート５０１は上側ストッパ５０２、下側ストッパ５０３によりその移動範囲が規制され、フロート５０４は上側ストッパ５０５、下側ストッパ５０６によりその移動範囲が規制されており、フロート５０１が上側ストッパ５０２に接触する位置まで上昇したときに管体５００内に設けられたにリードスイッチ（図示せず）がＯＮ状態になり、フロート５０１が下側ストッパ５０３に接触する位置まで移動したときに上記リードスイッチがＯＦＦ状態となるよう設定されている。
【００１９】
また、フロート５０４が下側ストッパ５０６に接触する位置まで移動したときに管体５００内に設けられた上記とは別のリードスイッチ（図示せず）がＯＮ状態となり、が上側ストッパ５０２に接触する位置まで上昇したときにリードスイッチが、ＯＦＦ状態となるよう設定されている。
すなわち、本実施形態では、例えば、フロート５０１により上限の液面レベルを検出し、フロート５０４により下限の液面レベルを検出するように各、フロートの液面変位に伴う上下方向の移動範囲が設定されている。
【００２０】
このように、フロート５０１、５０４、リードスイッチ等を構成要素とする液面センサ内蔵する筒体５０には、バルブ２１を閉じ、バルブ２０を開くことにより。タンク１５と筒体５０とが配管１７、Ｔ字状配管１８、配管１９、５１を介して連通し、タンク１５内の燃料等の液体４０が筒体５０に流れ込み、筒体５０内の液面レベルは、タンク内と同じ液面レベルになる。
【００２１】
このようにして、タンク１５内の液体４０を使用可能な状態にした後に、例えば、液面センサの故障等により液面センサを交換する必要が生じた場合には、バルブ２０を閉じ、バルブ２１を開いて筒体５０内の液体を排出させ、その後にフランジ３０、３１を固定していたボルトを外すことにより、液面センサを内蔵する筒体５０を水平方向に移動させて液面センサを内蔵する筒体５０を外す。外した筒体内の液面センサを修理するか、新品と交換した後に、再度、配管１９の端部に設けられたフランジ部３０と筒体５０の配管５１の端部に設けられたフランジ部３１とをボルト締めすることにより固定してタンク３０に筒体５０を取り付ける。
【００２２】
以上に説明したように、本発明の実施形態に係るによれば、屋内に設置されるタンクのドレイン口からタンク外部に連通する配管に対し、液面センサが内蔵され底部に管路を有する筒体の該管路の端部を水平方向に着脱可能に構成したので、タンクに液面センサを取り付けた状態で屋内に設置した後で、例え、タンクの上面と屋内の天井との間に隙間が少ない場合であっても、液面センサの着脱が可能となり、液面センサの交換が容易となる。したがって、液面センサの交換工事に要するコストを低減できる。
【図面の簡単な説明】
【００２３】
【図１】本発明の実施形態に係るタンク等における液面センサの取付け装置の構成を示す図である。
【図２】従来の液面センサを備えたタンクの屋内における設置状態を示す図である。
【図３】従来の液面センサを備えたタンクを屋内に設置した後に、液面センサを交換作業する際の状態を示す説明図である。
【符号の説明】
【００２４】
１０…屋内、１１…床、１２…架台、１３…脚部、１５…タンク。１６…ドレイン口、１７、１９、５１…配管、１８…Ｔ字状配管、２０、２１…バルブ、３０、３１…バルブ、４０…燃料等の液体、５０…筒体、５００…管体、５０１、５０４…フロート、５０２，５０５…上側ストッパ、５０３、５０６…下側ストッパ、５１０…蓋体、５１１…ハウジング
【図１】
2008190954.tif 000003
【図２】
2008190954.tif 000004
【図３】
2008190954.tif 000005